(57)【要約】【課題】  リーダライタ装置が複数必要となる場所において電子決済システムを安価に構築する。【解決手段】  複数のリーダライタ装置３ａ，３ｂ，３ｃと制御装置６とを無線通信回線を介して接続し、制御装置６内部の認証モジュールがリーダライタ装置３ａ，３ｂ，３ｃの読取領域に挿入されたＩＣチップを認証する。これにより、ＩＣチップの認証モジュールをリーダライタ装置３ａ，３ｂ，３ｃ毎に設ける必要がなくなり、また、リーダライタ装置３ａ，３ｂ，３ｃを制御装置６に接続するための配線を用意する必要がなくなるので、リーダライタ装置が複数存在する場所において電子決済システムを安価に構築することができる。【選択図】  図１
2006119793.tif 000002
【特許請求の範囲】
【請求項１】
記憶媒体内部に記憶されている有価情報が利用される複数の端末装置毎に設けられ、読取領域に挿入された記憶媒体内部の有価情報の読み取り動作及び書き換え動作を行うリーダライタ装置と、
無線通信回線を介して前記リーダライタ装置と接続し、当該リーダライタ装置の読み取り動作及び書き換え動作を制御する制御装置とを備え、
前記制御装置は、前記無線通信回線を介して接続したリーダライタ装置の読取領域に挿入された記憶媒体の認証を行うこと、
を特徴とする電子決済システム。
【請求項２】
請求項１に記載の電子決済システムであって、
前記制御装置が無線通信回線を介して接続するリーダライタ装置を切り換える切換装置を備えることを特徴とする電子決済システム。
【請求項３】
請求項２に記載の電子決済システムであって、
前記制御装置は、乱数を発生する乱数発生部を有し、当該乱数発生部により発生された乱数に従って前記切換装置を制御することにより、前記無線通信回線を介して接続するリーダライタ装置を切り換えることを特徴とする電子決済システム。
【請求項４】
請求項１乃至請求項３のうち、いずれか１項に記載の電子決済システムであって、
前記記憶媒体は、ＩＣチップであることを特徴とする電子決済システム。
【発明の詳細な説明】
【技術分野】
【０００１】
本発明は、電子マネー等の有価情報が記憶されているＩＣチップを利用した電子決済システムに関する。
【背景技術】
【０００２】
従来より、カード媒体や携帯端末装置に備えられたＩＣチップ内部に記憶されている電子マネー等の有価情報を利用して各種決済を行う電子決済システムが知られている（例えば、特許文献１を参照）。そして、このような電子決済システムによれば、ユーザは、ＩＣチップ内部に記憶されている有価情報を所定のリーダライタ装置に読み取らせることにより、各種決済を簡単に行うことができる。
【０００３】
【特許文献１】特開２００２−７４４７３号公報（図１）
【発明の開示】
【発明が解決しようとする課題】
【０００４】
ところで、従来までの電子決済システムでは、決済を行う際、リーダライタ装置内部の認証モジュールがＩＣチップやユーザの認証を行う構成となっている。また、従来までの電子決済システムは、システム管理者側に設けられた制御装置とリーダライタ装置とを有線接続し、リーダライタ装置毎の処理状況を制御装置側に収集する構成となっている。
【０００５】
このため、例えばアミューズメント施設やスーパーマーケット等、リーダライタ装置が複数必要となる場所に従来までの電子決済システムを適用する場合には、リーダライタ装置毎に認証モジュールを設ける必要があるのと同時に、リーダライタ装置を制御装置に接続するための配線をリーダライタ装置の数分だけ用意する必要がある。従って、リーダライタ装置が複数必要となる場所に従来までの電子決済システムを適用する場合、電子決済システムを安価に構築することができない。
【０００６】
本発明は、上記課題を解決するためになされたものであり、その目的は、リーダライタ装置が複数必要となる場所において安価にシステムを構築することが可能な電子決済システムを提供することにある。
【課題を解決するための手段】
【０００７】
本発明に係る電子決済システムは、複数のリーダライタ装置と制御装置とを無線通信回線を介して接続し、制御装置が各リーダライタ装置に挿入された記憶媒体の認証を行う。
【発明の効果】
【０００８】
本発明に係る電子決済システムによれば、記憶媒体の認証モジュールをリーダライタ装置毎に設ける必要がなくなり、また、リーダライタ装置を制御装置に接続するための有線配線を用意する必要がなくなるので、リーダライタ装置が複数必要となる場所において安価にシステムを構築することができる。
【発明を実施するための最良の形態】
【０００９】
本発明に係る電子決済システムは、ＩＣチップに記憶されている電子マネーを利用して遊技可能なゲーム機が複数設置されたアミューズメント施設に適用することができる。以下、図面を参照して、本発明に係る電子決済システムをアミューズメント施設に適用した、本発明の一実施形態となる電子決済システムの構成について説明する。なお、この実施形態では、ユーザは、ゲーム機での遊技を開始する前に、現金，キャッシュカード，クレジットカード等を専用の入金機に挿入してＩＣチップ内に電子マネーを記憶（チャージ）させておく。また、ＩＣチップは非接触型であるとするが、接触型であってもよい。
［電子決済システムの構成］
本発明の一実施形態となる電子決済システム１は、図１に示すように、複数のゲーム機２ａ，２ｂ，２ｃと、ゲーム機毎に設けられたリーダライタ装置３ａ，３ｂ，３ｃと、リーダライタ装置毎に設けられた無線子機４ａ，４ｂ，４ｃと、無線子機４ａ，４ｂ，４ｃと選択的に無線接続する無線親機５と、無線親機５に有線接続された制御装置６と、制御装置６に有線接続された店舗ＰＣ（Personal Computer）７と、電気通信回線を介して制御装置６や店舗ＰＣ７と接続する管理センター側装置８とを主な構成要素として備える。
【００１０】
リーダライタ装置３ａ，３ｂ，３ｃは、読取領域に挿入されたＩＣチップと無線通信するアンテナ部と、アンテナ部を介してＩＣチップ内部に記憶されている電子マネーの読み取り動作や書き換え動作を行うリードライト部と、リードライト部の処理結果に従ってゲーム機の動作を制御する制御部と、ＩＣチップ内に記憶されている電子マネーの残高等の各種情報を表示する液晶表示部と、リードライト部の処理状況を表示するＬＥＤ（Light Emitting Diode）部とを有する。リードライタ装置３ａ，３ｂ，３ｃは、ＩＣチップ内部に記憶されている電子マネーの読み取り動作や書き換え動作を行うと共に、ＩＣチップ内部に記憶されている電子マネーに従って作動／停止等のゲーム機の動作を制御する。
【００１１】
無線子機４ａ，４ｂ，４ｃは、IEEE 802.11a/b/g等の無線通信方式を利用して無線通信を行う無線通信装置により構成されている。無線子機４ａ，４ｂ，４ｃはリードライタ装置３ａ，３ｂ，３ｃと無線親機５との間の無線通信を制御する。無線親機５は、無線子機４ａ，４ｂ，４ｃと同じ無線通信方式で無線通信を行う無線通信装置により構成され、図２に示すように、スイッチ部５ａと、無線通信部５ｂとを備える。無線親機５は、制御装置６からの制御信号に従ってスイッチ部５ａを制御することにより無線接続する無線子機を切り換え、無線通信部５ｂを利用して無線接続した無線子機と制御装置６との間の無線通信を制御する。
【００１２】
制御装置６は、図３に示すように、無線接続する無線子機を切り換えるための乱数を発生する乱数発生部６ａと、ＩＣチップの認証を行う認証モジュール６ｂと、ＩＣチップ内部に記憶されている電子マネーの読み取り動作や書き換え動作を制御する課金モジュール６ｃとを備える。制御装置６は、乱数発生部６ａが発生した乱数に対応する制御信号を無線親機５に出力することにより無線接続する無線子機を切り換える。また、制御装置６は、認証モジュール６ｂによりリーダライタ装置３ａ，３ｂ，３ｃの読取領域に挿入されたＩＣチップを認証し、認証された場合、ゲーム機における遊技内容に従って、認証されたＩＣチップ内部に記憶されている電子マネーの読み取り動作や書き換え動作を課金モジュール６ｃにより制御する。
【００１３】
店舗ＰＣ７は、汎用の情報処理装置により構成され、制御装置６と通信することにより、ＩＣチップの認証結果，入金機の利用データ，売上情報等のゲーム機毎の処理情報を制御装置６から取得可能なように構成されている。管理センター側装置８は、ワークステーション等の汎用の情報処理装置により構成され、電気通信回線を介して制御装置６や店舗ＰＣ７と通信することにより、ＩＣチップの認証結果，入金機の利用データ，売上情報等のゲーム機毎の処理情報を取得可能なように構成されている。
【００１４】
以上の説明から明らかなように、本発明の一実施形態となる電子決済システム１は、ＩＣチップ内部に記憶されている電子マネーにより遊技可能なゲーム機２ａ，２ｂ，２ｃ毎に設けられ、電子マネーの読み取り動作及び書き換え動作を行うリーダライタ装置３ａ，３ｂ，３ｃと、無線通信回線を介してリーダライタ装置３ａ，３ｂ，３ｃと接続し、リーダライタ装置３ａ，３ｂ，３ｃの動作を制御する制御装置６とを備え、制御装置６は、無線通信回線を介してリーダライタ装置３ａ，３ｂ，３ｃの読取領域に挿入されたＩＣチップの認証を行う。
【００１５】
すなわち、本発明の一実施形態となる電子決済システム１は、複数のリーダライタ装置３ａ，３ｂ，３ｃと制御装置６とを無線通信回線を介して接続し、制御装置６内部の認証モジュール６ｂがリーダライタ装置３ａ，３ｂ，３ｃの読取領域に挿入されたＩＣチップを認証する構成となっている。そして、このような構成によれば、ＩＣチップの認証モジュールをリーダライタ装置３ａ，３ｂ，３ｃ毎に設ける必要がなくなり、また、リーダライタ３ａ，３ｂ，３ｃ装置を制御装置６に接続するための配線を用意する必要がなくなるので、リーダライタ装置が複数必要となる場所において安価にシステムを構築することができる。
【００１６】
以上、本発明者によってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００１７】
【図１】本発明の一実施形態となる電子決済システムの全体構成を示す模式図である。
【図２】図１に示す無線親機の内部構成を示すブロック図である。
【図３】図１に示す制御装置の内部構成を示すブロック図である。
【符号の説明】
【００１８】
１：電子決済システム
２ａ，２ｂ，２ｃ：ゲーム機
３ａ，３ｂ，３ｃ：リーダライタ装置
４ａ，４ｂ，４ｃ：無線子機
５：無線親機
５ａ：スイッチ部
５ｂ：無線通信部
６：制御装置
６ａ：乱数発生部
６ｂ：認証モジュール
６ｃ：課金モジュール
７：店舗ＰＣ（Personal Computer）
８：管理センター側装置
【図１】
2006119793.tif 000003
【図２】
2006119793.tif 000004
【図３】
2006119793.tif 000005